(57)【要約】 【課題】  本発明は、主導的に病院情報を削除しないようにすることにより、特に診療所−病院間、病院−病院間における病院情報を安全に削除することを目的とする。【解決手段】  本発明は、医療機関の端末を複数備える通信網に接続され、患者の紹介先となる医療機関及び患者の診療に関する情報を含む病院情報を、一の端末から他の端末に送信する情報サーバ５００を備えている。この情報サーバ５００は、一の端末から他の端末宛に送信された病院情報を記憶し、他の端末からの要求に応じて、他の端末に送信済みの病院情報を削除する。【選択図】      図１
2006099521.tif 000002
【特許請求の範囲】
【請求項１】
医療機関の端末を複数備える通信網に接続され、患者の紹介先となる医療機関及び患者
の診療に関する情報を含む病院情報を、一の端末から他の端末に送信する情報サーバであ
って、
一の端末から他の端末宛に送信された病院情報を記憶する記憶手段と、
前記他の端末からの要求に応じて、該他の端末に送信済みの病院情報を前記記憶手段の
中から削除する削除手段と
を備えることを特徴とする情報サーバ。
【請求項２】
前記他の端末からの要求に応じて、前記記憶手段に記憶された病院情報の一覧を該他の
端末に送信する送信手段が備えられており、
前記削除手段は、前記送信手段により前記病院情報の一覧が前記他の端末に送信された
場合には、該他の端末に送信済みの病院情報を前記記憶手段の中から削除することを特徴
とする請求項１に記載の情報サーバ。
【発明の詳細な説明】
【技術分野】
【０００１】
本発明は、患者の紹介先となる医療機関及び患者の診療に関する情報を含む病院情報を
一の端末から他の端末に送信する情報サーバに関する。
【背景技術】
【０００２】
従来から、一の端末から他の端末に向けてファイルを送信する通信システムの開発及び
運用が進んでいる（例えば、特許文献１参照）。図７は従来の通信システムを示す概念図
であり、図８は従来の通信システムの動作を示す図である。図７に示すように、通信シス
テム１は、端末３，端末４と情報サーバ５とこれらを接続する通信網２とを備えている。
図８に示すように、ファイルの送信元の端末３と情報サーバ５との間でログイン・パスワ
ードの認証処理が行われ（Ｓ１）、この認証処理が成功すると、端末３は端末４に向けて
ファイルを送信する（Ｓ２）。情報サーバ５は、端末３から受信したファイルを記憶する
とともに、当該ファイルが記憶されている時間を計数するタイマを起動させる（Ｓ３，Ｓ
４）。ファイルの送信先の端末４と情報サーバ５との間でログイン・パスワードの認証処
理が行われ（Ｓ５）、この認証処理が成功すると、情報サーバ５は、ファイルの送信先の
端末４からの要求に応じて記憶されているファイルの一覧を端末４に送信し、さらに端末
４からの要求に応じて特定のファイルを端末４に送信する（Ｓ６〜Ｓ９）。そして、情報
サーバ５は、タイマが起動してから所定の時間が経過した場合には、記憶されているファ
イルを削除する（Ｓ１０，Ｓ１１）。
【０００３】
このように端末３から端末４に向けて送信されたファイルが情報サーバ５に記憶される
ことにより、通信網２に障害が発生して当該ファイルが端末４に送信されなくても、再度
、情報サーバ５に記憶されたファイルが端末４に送信可能となる。
【特許文献１】特開２０００−１３２５２５号公報
【発明の開示】
【発明が解決しようとする課題】
【０００４】
しかしながら、ファイルが情報サーバ５に記憶されてから所定の時間が経過した場合に
は、情報サーバ５によりファイルが強制的に削除されてしまい、該当するファイルが端末
３から端末４に送信されないことがあった。このことは、診療所−病院間の連携、病院−
病院間の連携を電子的に行う通信システム上で特に問題が生じていた。
【０００５】
具体的には、小規模な病院や診療所では、専門医師がいない場合や検査設備が整ってい
ない場合があり、患者の疾患状況に対応することができない場合がある。このような場合
には、医師が紹介先となる医療機関及び患者の診療に関する情報を含む病院情報を作成し
、医師が上記通信システム１を介して病院情報を紹介先の医療機関の端末に送信すること
ができる。
【０００６】
ところが、通信網２の障害などにより病院情報が適切に紹介先の医療機関の端末に送信
されない場合には、情報サーバ５は、紹介先の医療機関の端末からの要求等により、再度
、病院情報の送信を試みているが、当該病院情報を記憶してから所定の時間が経過した場
合には、病院情報を強制的に削除し、病院情報を紹介先の医療機関の端末に送信しないこ
とがある。このため、患者は、紹介先の医療機関で混乱を来たし、早期に診療を受けるこ
とができない場合があった。
【０００７】
そこで、本発明は以上の点に鑑みてなされたものであり、主導的に病院情報を削除しな
いようにすることにより、特に診療所−病院間、病院−病院間における病院情報を安全に
削除することができる情報サーバを提供することを目的とする。
【課題を解決するための手段】
【０００８】
本願に係る発明は、上記課題を解決すべくなされたものであり、医療機関の端末を複数
備える通信網に接続され、患者の紹介先となる医療機関及び患者の診療に関する情報を含
む病院情報を、一の端末から他の端末に送信する情報サーバであって、一の端末から他の
端末宛に送信された病院情報を記憶する記憶手段と、他の端末からの要求に応じて、他の
端末に送信済みの病院情報を記憶手段の中から削除する削除手段とを備えることを特徴と
する。
【０００９】
このような本発明によれば、他の端末に送信済みの病院情報が、他の端末からの要求に
応じて記憶手段の中から削除されることにより、情報サーバは、主導的に病院情報を削除
しないようにすることができ、特に診療所−病院間、病院−病院間における病院情報を安
全に削除することができる。
【００１０】
上記発明においては、他の端末からの要求に応じて記憶手段に記憶された病院情報の一
覧を他の端末に送信する送信手段が備えられており、削除手段は、送信手段により病院情
報の一覧が他の端末に送信された場合には、他の端末に送信済みの病院情報を記憶手段の
中から削除してもよい。
【００１１】
この場合には、病院情報の一覧が他の端末に送信された後に、他の端末に送信済みの病
院情報が記憶手段の中から削除されることにより、病院情報の一覧の送信処理と送信済み
の病院情報の削除処理とが同時に行われることに伴なう処理負担が軽減されるため、情報
サーバは、診療所−病院間、病院−病院間における病院情報をより安全に削除することが
できる。
【００１２】
なお、一の端末から他の端末に病院情報が送信済みとされた時刻を特定する時刻特定手
段が備えられており、削除手段は、時刻特定手段により特定された時刻から予め設定され
た時間が経過した場合には、他の端末からの要求に応じて、前記一の端末から他の端末に
送信済みの病院情報を削除してもよい。この場合には、送信済みの病院情報が他の端末か
らの要求に応じて一義的に削除されるのではなく、さらに病院情報が送信済みとされてか
ら予め設定された時間が経過しなければ、当該病院情報が削除されない。このため、情報
サーバは、他の端末が病院情報の削除要求を誤って行っても、その削除要求が一定の期間
内である場合には、送信済みの病院情報を確保することができ、より安全に病院情報の削
除を行うことができる。
【発明の効果】
【００１３】
本発明によれば、主導的に病院情報を削除しないようにすることにより、特に診療所−
病院間、病院−病院間における病院情報を安全に削除することができる。
【発明を実施するための最良の形態】
【００１４】
（通信システム及び情報サーバの基本構成）
本発明に係る通信システム１００について図面を参照しながら説明する。図１は、本実
施形態における通信システム１００を示す概念図である。本実施形態における通信システ
ム１００は、医療機関である病院の端末（病院１−１端末３００ａ，病院１−２端末３０
０ｂ，病院２−１端末４００ａ，病院２−１端末４００ｂなど）と、情報サーバ５００と
、これらを接続する通信網２００とを備えている。ここで、小規模な病院や診療所の端末
は、病院１−１端末３００ａ，病院１−２端末３００ｂ…とし、その小規模な病院や診療
所と連携関係のある大規模な病院の端末は、病院２−１端末４００ａ，病院２−１端末４
００ｂ…とする。なお、特段に個別の病院１−１端末３００ａ，病院１−２端末３００ｂ
，病院２−１端末４００ａ，病院２−１端末４００ｂを示す必要がない場合には、説明の
便宜上、単に端末と表現する。
【００１５】
情報サーバ５００は、患者の紹介先となる医療機関及び患者の診療に関する情報を含む
病院情報を管理するサーバであり、情報管理部５０１と病院連携データベース５０２とを
備えている。情報管理部５０１は、情報サーバ５００の全体を管理するものであり、例え
ば、一の端末から他の端末宛に送信された病院情報を病院連携データベース５０２に記憶
すること、当該他の端末からの要求に応じて、病院連携データベース５０２に記憶された
病院情報又はその一覧を他の端末に送信すること、当該他の端末に送信済みの病院情報を
病院連携データベース５０２の中から削除することなどを行う。
【００１６】
病院連携データベース５０２は、病院連携情報、送信情報、一覧情報及びダウンロード
／未ダウンロード情報等を記憶するものである。図２は、本実施形態における病院連携情
報を示す図である。この病院連携情報とは、連携関係のある診療所及び病院に関する情報
である。図２に示すように、病院連携情報には、連携関係のある病院名（例えば、病院１
−１、病院１−２…）、連携関係のある病院の端末が情報サーバ５００にログインするた
めの情報であるログイン情報（例えば、病院１−１のログイン情報はＲ１−１）、連携関
係のある病院の端末が情報サーバ５００に認証されるための情報であるパスワード情報（
例えば、病院１−１のパスワード情報はＰ１−１）、一の端末から他の端末に送信済みの
病院情報を削除するタイミングに関する情報である削除情報（例えば、３日）が含まれて
いる。
【００１７】
図３は、本実施形態における送信情報を示す図である。この送信情報とは、一の端末か
ら他の端末宛に病院情報を送信するために必要な情報である。図３に示すように、送信情
報には、病院情報の送信元の情報である送信元情報（例えば、送信元の病院１−１、送信
元の病院１−１の端末に関する情報）、病院情報の送信先の情報である送信先情報（例え
ば、送信元の病院２−１、送信元の病院２−１の端末に関する情報）、病院情報名（例え
ば、病院情報Ａ）が含まれている。
【００１８】
図４は、本実施形態における病院２−１に関する病院情報の一覧を示す図である。この
病院情報の一覧とは、図３に示す送信情報のうちの送信先情報及び病院情報名を送信先情
報毎に整理されたものであり、病院情報をダウンロード回数も含まれている。
【００１９】
図５は、本実施形態におけるダウンロード／未ダウンロード情報を示す図である。この
ダウンロード／未ダウンロード情報とは、一の端末から他の端末に病院情報が送信された
か否かに関する情報である。図５に示すように、ダウンロード／未ダウンロード情報には
、病院情報の送信先の情報である送信先情報、病院情報名、一の端末から他の端末に病院
情報が適切に送信されたか否かの結果に関する情報である送信結果情報、一の端末から他
の端末に病院情報が適切に送信された日時に関する情報である送信日情報、一の端末から
他の端末に病院情報が送信された回数に関する情報である回数情報、送信済みの病院情報
が削除の対象とするか否かのチェック項目に関する情報である削除対象情報が含まれてい
る。
（通信システム及び情報サーバの動作）
以下において、本発明に係る通信システム１００及び情報サーバ５００の動作について
、図面を参照しながら説明する。図６は、本実施形態における通信システム１００及び情
報サーバ５００を示すフロー図である。ここでは、病院１−１端末３００ａと病院２−１
端末４００ａとの間で行われる病院情報の送受信についてのみ説明し、他の端末間で行わ
れる病院情報の送受信については割愛する。
【００２０】
図６に示すように、Ｓ１００において、情報管理部５０１は、病院１−１端末３００ａ
から受信したログイン情報（ここではＲ１−１）及びパスワード情報（ここではＰ１−１
）が予め記憶された病院連携情報（図２参照）に含まれているか否か確認する。また、情
報管理部５０１は、病院１−１端末３００ａから受信したログイン情報及びパスワード情
報が図２に示す病院連携情報に含まれている場合には、病院１−１端末３００ａからの送
信情報を受信可能な状態にし、病院１−１端末３００ａから受信したログイン情報及びパ
スワード情報が図２に示す病院連携情報に含まれていない場合には、病院１−１端末３０
０ａからの送信情報を拒否する。
【００２１】
Ｓ１０１において、病院１−１端末３００ａは、情報管理部５０１におけるログイン及
びパスワードの認証が成功した場合には、病院２−１端末４００ａ宛の病院情報を情報管
理部５０１に送信する。Ｓ１０２において、情報管理部５０１は、病院１−１端末３００
ａから送信された送信情報を病院連携データベース５０２に記憶させる。Ｓ１０３におい
て、情報管理部５０１と病院２−１端末４００ａとの間で認証処理が行われる。Ｓ１０４
において、病院２−１端末４００ａは、病院２−１の病院情報の一覧を送信するように指
示するコマンドを情報管理部５０１に送信する。
【００２２】
Ｓ１０５において、情報管理部５０１は、一覧を要求した病院２−１に関するダウンロ
ード・未ダウンロード情報（図５参照）を参照し、病院情報を削除するか否かのチェック
を行う。本実施形態における情報管理部５０１は、病院情報が送信済みとなった日から、
病院毎に設定された日数が経過した場合に、その送信済みの病院情報を削除の対象として
チェックする。一方、情報管理部５０１は、病院情報が送信済みでない場合には、その送
信済みでない病院情報を削除の対象としてチェックしない。
【００２３】
例えば、情報管理部５０１は、図５に示すダウンロード・未ダウンロード情報を参照し
、病院２−１に関する削除済みの病院情報（ここでは病院情報Ｂ）を特定し、その病院情
報Ｂが削除済みとなった日（図５に示す２００４／８／５日）から、病院２−１の削除情
報に含まれる日（図２に示す３日）が経過しているため、特定した病院情報Ｂに対応する
削除対象情報のうちの「削除する」にチェックする。ここでは情報管理部５０１は、削除
対象情報のうちの「削除する」又は「削除しない」のいずれか一方にチェックするだけで
あり、そのチェック済みの病院情報は未だ削除しない。
【００２４】
Ｓ１０６において、情報管理部５０１は、病院２−１の病院情報の一覧を病院２−１端
末４００ａに送信する。例えば、情報管理部５０１は、図３に示す送信情報を参照し、病
院２−１に関する情報が送信先情報に含まれているため、その送信先情報（ここでは病院
２−１）に対応付けられている送信元情報（ここでは病院１−１）、病院情報名（ここで
は病院情報Ａ及び病院情報Ｂ）、及び、該病院情報をダウンロードした回数を一覧（図４
参照）として病院２−１端末４００ａに送信する。
【００２５】
Ｓ１０７において、情報管理部５０１は、Ｓ１０４でチェックした病院情報（ここでは
病院情報Ｂ）を削除する。Ｓ１０８において、病院２−１端末４００ａは、外部から指定
された病院情報（ここでは病院情報Ｂ）を送信するように指示するコマンドを情報管理部
５０１に送信する。Ｓ１０９において、情報管理部５０１は、要求された病院情報を病院
２−１端末４００ａに送信する。
【００２６】
なお、本実施形態では、Ｓ１０５において削除の対象となる病院情報がチェックされ、
Ｓ１０６において病院情報の一覧が送信された後に、Ｓ１０７においてそのチェックされ
た病院情報が削除されているが、これに限定されずに、Ｓ１０５において削除の対象とな
る病院情報がチェックされた時にそのチェックされた病院情報が削除されてもよい。
【００２７】
なお、本実施形態では、削除の対象となる病院情報は、病院情報の一覧を要求した病院
に関係するものとしているが、これに限定されずに、病院情報の一覧を要求した病院に関
係しないものであってもよい。
（通信システム及び情報サーバによる作用及び効果）
このような本発明によれば、一の端末から他の端末に送信済みの病院情報が、他の端末
からの要求に応じて記憶手段の中から削除されることにより、情報サーバ５００は、主導
的に病院情報を削除しないようにすることができ、特に診療所−病院間、病院−病院間に
おける病院情報を安全に削除することができる。
【００２８】
また、病院情報の一覧が一の端末から他の端末に送信された後に、他の端末に送信済み
の病院情報が病院連携データベース５０２の中から削除されることにより、病院情報の一
覧の送信処理と送信済みの病院情報の削除処理とが同時に行われることに伴なう処理負担
が軽減されるため、情報サーバ５００は、診療所−病院間、病院−病院間における病院情
報をより安全に削除することができる。
【００２９】
なお、情報サーバ５００は、一の端末から他の端末に病院情報が送信済みとされた時刻
を特定し、その特定した時刻から予め設定された時間が経過した場合には、他の端末から
の要求に応じて、前記一の端末から他の端末に送信済みの病院情報を削除してもよい。こ
の場合には、送信済みの病院情報が他の端末からの要求に応じて一義的に削除されるので
はなく、さらに病院情報が送信済みとされてから予め設定された時間が経過しなければ、
当該病院情報が削除されない。このため、情報サーバ５００は、他の端末が病院情報の削
除要求を誤って行っても、その削除要求が一定の期間内である場合には、送信済みの病院
情報を確保することができ、より安全に病院情報の削除を行うことができる。
【図面の簡単な説明】
【００３０】
【図１】本実施形態における通信システムを示す概略構成図である。
【図２】本実施形態における病院連携情報を示す図である。
【図３】本実施形態における送信情報を示す図である。
【図４】本実施形態における病院情報の一覧を示す図である。
【図５】本実施形態におけるダウンロード／未ダウンロード情報を示す図である。
【図６】本実施形態における通信システムの動作を示す図である。
【図７】従来の通信システムを示す図である。
【図８】従来の通信システムの動作を示す図である。
【符号の説明】
【００３１】
１，１００…通信システム
２，２００…通信網
３，３００，４００…端末
５，５００…情報サーバ
５０１…情報管理部
５０２…病院連携データベース
【図１】
2006099521.tif 000003
【図２】
2006099521.tif 000004
【図３】
2006099521.tif 000005
【図４】
2006099521.tif 000006
【図５】
2006099521.tif 000007
【図６】
2006099521.tif 000008
【図７】
2006099521.tif 000009
【図８】
2006099521.tif 000010